(57)【要約】      （修正有）【課題】コンパクトなデジタルキーボックスを提供する。【解決手段】複数の保管庫を開錠するために使用されるデジタルキーを集中管理するものであって、個人認証手段７２を有するデジタルキーボックス６０において、（ａ）複数の使用者により共通に使用されるデジタルキー６１がＩＣタグ６２を備え、ＩＣタグ６２が使用者の使用者識別情報と、複数の保管庫のうち使用者が開錠許可を有している保管庫を特定する扉特定データとを記憶しており、（ｂ）デジタルキーボックス６０が、装着されたデジタルキーの着脱をロック手段で制限しており、制御装置７２が特定の使用者を認証した場合に、その特定の使用者の使用者識別情報または扉特定データの少なくとも一方のデータをデジタルキー６１の一つに書き込み、データを書き込んだデジタルキー６１の着脱制限をロック手段に解除させる。【選択図】図８
2010095913.tif 000002
【特許請求の範囲】
【請求項１】
複数の扉を開錠するために複数の使用者により共通に使用される共通デジタルキーを集中して保管管理するためのものであって、該共通デジタルキーが装着され、個人認証手段を有するデジタルキーボックスにおいて、
前記共通デジタルキーがＩＣタグを備えるデジタルキーであり、前記ＩＣタグが使用者を識別するための使用者識別情報と、前記複数の扉のうち前記使用者が開錠許可を有している２以上の扉を特定する扉特定データとを記憶すること、
前記デジタルキーボックスが、
前記個人認証手段が特定の使用者を認識したときに、任意の前記共通デジタルキーの前記ＩＣタグに、該当する使用者の前記使用者識別情報、または該当する使用者の前記扉特定データの少なくとも一方のデータを書き込むデータ書き込み手段と、
前記共通デジタルキーの着脱を制限するロック手段と、
前記データ書き込み手段が前記ＩＣタグにデータを書き込んだ共通デジタルキーの着脱制限を前記ロック手段に解除させるロック解除手段を有すること、
を特徴とするデジタルキーボックス。
【請求項２】
複数の扉を開錠するために使用者により使用されるデジタルキーを集中して保管管理するためのものであって、該デジタルキーが装着され、個人認証手段を有するデジタルキーボックスにおいて、
前記デジタルキーが、
ＩＣタグを備え、前記ＩＣタグが使用者を識別するための使用者識別情報と、前記複数の扉のうち前記使用者が開錠許可を有している２以上の扉を特定する扉特定データとを記憶するものであり、個人に１個ずつ割り当てられる個人デジタルキーと、
ＩＣタグを備え、前記ＩＣタグが使用者を識別するための使用者識別情報と、前記複数の扉のうち前記使用者が開錠許可を有している２以上の扉を特定する扉特定データとを記憶するものであり、複数の使用者により共通に使用される共通デジタルキーと、を含み、
前記デジタルキーボックスが、
前記個人認証手段が特定の使用者を認識したときに、任意の前記共通デジタルキーの前記ＩＣタグに、該当する使用者の前記使用者識別情報、または該当する使用者の前記扉特定データの少なくとも一方のデータを書き込むデータ書き込み手段と、
前記デジタルキーの着脱を制限するロック手段と、
前記個人認証手段により認識に成功した特定の使用者が個人デジタルキーを付与された者であるときには、前記特定の使用者の使用者識別情報を持つ前記個人デジタルキーの着脱制限を前記ロック手段に解除させ、前記個人認証手段により認証に成功した特定の使用者が個人デジタルキーを付与された者でないときには、前記データ書き込み手段が前記データを書き込んだ前記共通デジタルキーの着脱制限を前記ロック手段に解除させるロック解除手段を有すること、
を特徴とするデジタルキーボックス。
【請求項３】
請求項１又は請求項２に記載するデジタルキーボックスにおいて、
複数の前記共通デジタルキーを、第１条件に従う第１グループと、第２条件に従う第２グループとにグループ分けするグループ作成手段を有する
ことを特徴とするデジタルキーボックス。
【請求項４】
請求項３に記載するデジタルキーボックスにおいて、
前記グループ作成手段は、前記使用者の属性、前記使用者が前記共通デジタルキーを使用する頻度、前記共通デジタルキーを使用する時間帯の少なくとも一つに基づいて、前記第１及び前記第２グループを作成する
ことを特徴とするデジタルキーボックス。
【請求項５】
請求項１乃至請求項４の何れか１つに記載するデジタルキーボックスにおいて、
前記扉特定データを用いて前記扉を開錠可能な有効時間を示す有効時間データを前記ＩＣタグに書き込む有効時間データ書込手段を有する
ことを特徴とするデジタルキーボックス。
【請求項６】
請求項５に記載するデジタルキーボックスにおいて、
前記有効時間データ書込手段は、使用者の属性、保管物の種類、扉の設置場所の少なくとも一つに応じて前記有効時間を変更して前記ＩＣタグに書き込むものである
ことを特徴とするデジタルキーボックス。
【請求項７】
請求項１乃至請求項６の何れか一つに記載するデジタルキーボックスにおいて、
前記使用者識別情報が、前記個人認証手段と、前記扉の開閉権限を認証して前記扉の開閉を許可する手段とに共通して使用される生体情報である
ことを特徴とするデジタルキーボックス。
【発明の詳細な説明】
【技術分野】
【０００１】
本発明は、複数の扉を開錠するために、使用者により使用されるデジタルキーを集中して保管管理するためのものであって、該デジタルキーが装着され、個人認証手段を有するデジタルキーボックスに関するものである。
【背景技術】
【０００２】
従来、例えば、オフィスにおいては、保管庫毎に開閉可能な鍵を、デジタルキーボックスに収納し、使用者がＩＤカード等のＩＤ認証により、デジタルキーボックスの扉を開閉して、利用したい保管庫用の鍵を借り出して利用している。デジタルキーボックスは、ＩＤカードにより、使用者をＩＤ認証し、その人がその保管庫にアクセスする権利を有している場合にのみ、扉を開いている。
しかし、多数の保管庫内の書類を順次調べようとすると、たくさんの鍵を持って移動しなければならず、作業性が悪かった。その問題を解決するために、同じ１つの鍵を用いて、複数の保管庫を開閉できるシステムが望まれていた。
【０００３】
同じ１つの鍵を用いて、複数の保管庫を開閉できるシステムとしては、マスターキーが知られている。マスターキーは、全ての保管庫の開閉が可能であるが、鍵を紛失した場合等の非常時用のものであり、マスターキーを日常的に使用しては、保管庫に各別に異なる錠前を取り付けて管理している意味がなくなってしまう。また、保管庫毎にアクセスする権利を人毎に設定することはできない。
一方、交換容易なシリンダー錠前を用い、保管庫毎にシリンダー錠前を交換することにより、一つの鍵で開閉できる保管庫を設定可能とするものが市販されている。これによれば、同じ１つの鍵で開閉可能な保管庫を任意に設定し変更することができる。
【０００４】
一方、ＩＣタグと鍵とを組み合わせた技術として、特許文献１に記載されるものがある。特許文献１には、接触式ＩＣタグを鍵の把持部に内蔵して、把持部の一部に露出した鍵側データ端子と接触する扉側データ端子により、接触式ＩＣタグのデータを読み出し、そのデータがＩＤ登録されていない場合に、ソレノイドにより、鍵の回転を阻止することが開示されている。
鍵は通常の鍵であり、特定の錠前のみ開閉可能な形状となっている。効果としては、鍵の形状が同じ合鍵を作られたとしても、接触式ＩＣタグが内蔵されていなければ、鍵を解除することができないことが記載されている。また、段落（００２７）には、ＩＣタグのみの認証により、電気錠を開錠することが記載されている。
【０００５】
【特許文献１】特開平１０−２５２３２７号公報
【発明の開示】
【発明が解決しようとする課題】
【０００６】
従来市販されている交換容易なシリンダー錠前には、次のような問題があった。
（１）一人の人が利用するシステムならば良いが、通常の会社のオフィスのように、各々異なる権能を有する複数の人が同じ保管庫を利用するシステムにおいては、異なる人に、各々個別に利用可能な保管庫用の鍵を所持させることが、困難であった。すなわち例えば、Ａ，Ｂ，Ｃという人が各々異なる保管庫グループにアクセスする権利を有している場合に、各々の人に、その人がアクセス可能な保管庫を開閉できる鍵を所持させることはできなかった。
【０００７】
（２）また、特許文献１に記載のシステムには、次のような問題があった。
すなわち、接触式ＩＣタグが確認のためにのみ使用されており、実際に鍵を開閉するのは従来通りの、鍵の挿入部の形状が錠前に合致することが条件であるため、オフィスで、複数の保管庫内の書類を調べようとすると、たくさんの鍵を持って、保管庫間を移動する必要がある。たくさんの鍵を持って移動することも不便である上、その都度所定の鍵を探さなければならず、きわめて非能率的であった。
また、ＩＣタグの認識により、電気錠を開錠するのは、単純にカードに埋め込まれたＩＣタグを読み取って、電気錠を開錠するのと何ら差異がなく、鍵とＩＣタグを組み合わせる意味がない。言い換えれば、電気錠を必要とするため、コストアップとなる問題がある。
また、特許文献１の技術では、接触式ＩＣタグが鍵の把持部に露出しているので、読取装置を錠前の外に配置せざるをえないため、機材の衝突やいたずら等により損傷する恐れがある。
【０００８】
（３）また、近年、個人情報保護法の施行に伴い、オフィスにおけるセキュリティ管理がより厳重になっている。今まで、個人で管理していた鍵についても、オフィスの外に持ち出すことを禁止することが多くなっている。すなわち、オフィスを出るときには、個人で管理している鍵も、鍵管理ボックスに収納することを義務付けるケースが多くなっている。
（４）一方、個人に対して１個ずつの個人用鍵を振り分けた場合、オフィスで鍵を使用する人数分だけの数の鍵を収納する鍵管理ボックスを必要とした。一人の人が鍵を使用する時間は、一日のうち、短い時間であるのが通常である。そのため、使用時間の少ない鍵でも、全て収納しなければならず、鍵管理ボックスが無駄なスペースを占有する問題があった。
【０００９】
（５）尚、保管庫には、ＩＣタグを備えるＩＣカードが鍵として使用するものがある。保管庫は、認証装置にかざされたＩＣカードのＩＣタグから情報を読み取り、その情報に基づいて認証に成功した場合に、開閉を許可する。また、オフィスの配線工事などでは、不特定多数の業者が出入りするため、各業者に付与したＩＣカードに１又は２以上の入室権限を記憶させ、部屋毎に設けた認証装置にＩＣカードをかざして権限認証に成功した場合にのみ、入室を許可することが行われている。これらのＩＣカードは、セキュリティ管理を厳重にするために、オフィス家具を使用しないときや、使用者が社外へ出るときに、キーボックスに収納される。このＩＣカードも、ＩＣカードを使用する人数分の数を準備すると、キーボックスの大型を招き、好ましくない。
【００１０】
この発明は上記事情に鑑みてなされたものであって、その目的は、コンパクトなデジタルキーボックスを提供することにある。
【課題を解決するための手段】
【００１１】
上記目的を達成するために、本発明に係るデジタルキーボックスは以下の構成を有する。
（１）複数の扉を開錠するために複数の使用者により共通に使用される共通デジタルキーを集中して保管管理するためのものであって、該共通デジタルキーが装着され、個人認証手段を有するデジタルキーボックスにおいて、前記共通デジタルキーがＩＣタグを備えるデジタルキーであり、前記ＩＣタグが使用者を識別するための使用者識別情報と、前記複数の扉のうち前記使用者が開錠許可を有している２以上の扉を特定する扉特定データとを記憶すること、前記デジタルキーボックスが、前記個人認証手段が特定の使用者を認識したときに、任意の前記共通デジタルキーの前記ＩＣタグに、該当する使用者の前記使用者識別情報、または該当する使用者の前記扉特定データの少なくとも一方のデータを書き込むデータ書き込み手段と、前記共通デジタルキーの着脱を制限するロック手段と、前記データ書き込み手段が前記ＩＣタグにデータを書き込んだ共通デジタルキーの着脱制限を前記ロック手段に解除させるロック解除手段を有する。
【００１２】
（２）複数の扉を開錠するために使用者により使用されるデジタルキーを集中して保管管理するためのものであって、該デジタルキーが装着され、個人認証手段を有するデジタルキーボックスにおいて、前記デジタルキーが、ＩＣタグを備え、前記ＩＣタグが使用者を識別するための使用者識別情報と、前記複数の扉のうち前記使用者が開錠許可を有している２以上の扉を特定する扉特定データとを記憶するものであり、個人に１個ずつ割り当てられる個人デジタルキーと、ＩＣタグを備え、前記ＩＣタグが使用者を識別するための使用者識別情報と、前記複数の扉のうち前記使用者が開錠許可を有している２以上の扉を特定する扉特定データとを記憶するものであり、複数の使用者により共通に使用される共通デジタルキーと、を含み、前記デジタルキーボックスが、前記個人認証手段が特定の使用者を認識したときに、任意の前記共通デジタルキーの前記ＩＣタグに、該当する使用者の前記使用者識別情報、または該当する使用者の前記扉特定データの少なくとも一方のデータを書き込むデータ書き込み手段と、前記デジタルキーの着脱を制限するロック手段と、前記個人認証手段により認識に成功した特定の使用者が個人デジタルキーを付与された者であるときには、前記特定の使用者の使用者識別情報を持つ前記個人デジタルキーの着脱制限を前記ロック手段に解除させ、前記個人認証手段により認証に成功した特定の使用者が個人デジタルキーを付与された者でないときには、前記データ書き込み手段が前記データを書き込んだ前記共通デジタルキーの着脱制限を前記ロック手段に解除させるロック解除手段を有する。
【００１３】
ここで、「扉」とは、保管物を収納する保管庫や机などの引き出しや片開き又は両開きの扉、部屋の出入口に設けられた出入口扉、入退装置に設けられた開閉式のバーなどが含まれる。
また、「共通」の意味には、複数人が１個の共通デジタルキーを使用する意味での主観的な共通と、１個の共通デジタルキーを複数の保管庫に使用できる意味での客体的な共通とが考えられる。本明細書では、主観的な共通に着目して、個人的に１個ずつ割り当てられるデジタルキーを「個人デジタルキー」、複数の使用者により共通に使用されるデジタルキーを「共通デジタルキー」という。
【００１４】
（３）（１）又は（２）に記載の発明において、複数の前記共通デジタルキーを、第１条件に従う第１グループと、第２条件に従う第２グループとにグループ分けするグループ作成手段を有する。
（４）（３）に記載の発明において、前記グループ作成手段は、前記使用者の属性、前記使用者が前記共通デジタルキーを使用する頻度、前記共通デジタルキーを使用する時間帯の少なくとも一つに基づいて、前記第１及び前記第２グループを作成することを特徴とする。
【００１５】
（５）（１）乃至（４）の何れか１つに記載するデジタルキーボックスにおいて、前記扉特定データを用いて前記扉を開錠可能な有効時間を示す有効時間データを前記ＩＣタグに書き込む有効時間データ書込手段を有することを特徴とする。
（６）（５）に記載するデジタルキーボックスにおいて、前記有効時間データ書込手段は、使用者の属性、保管物の種類、扉の設置場所の少なくとも一つに応じて前記有効時間を変更して前記ＩＣタグに書き込むものであることを特徴とする。
【００１６】
（７）（１）乃至（６）の何れか一つに記載の発明において、前記使用者識別情報が、前記個人認証手段と、前記扉の開閉権限を認証して前記扉の開閉を許可する手段とに共通して使用される生体情報である。
【発明の効果】
【００１７】
本発明のデジタルキーボックスは、複数の扉を開錠するために複数の使用者により共通に使用される共通デジタルキーを集中して保管管理するためのものであって、該共通デジタルキーが装着され、個人認証手段を有するデジタルキーボックスにおいて、共通デジタルキーがＩＣタグを備えるデジタルキーであり、ＩＣタグが使用者を識別するための使用者識別情報と、複数の扉のうち使用者が開錠許可を有している２以上の扉を特定する扉特定データとを記憶すること、デジタルキーボックスが、個人認証手段が特定の使用者を認識したときに、任意の共通デジタルキーのＩＣタグに、該当する使用者の使用者識別情報、または該当する使用者の扉特定データの少なくとも一方のデータを書き込むデータ書き込み手段と、共通デジタルキーの着脱を制限するロック手段と、データ書き込み手段がＩＣタグにデータを書き込んだ共通デジタルキーの着脱制限をロック手段に解除させるロック解除手段を有する。このようなデジタルキーボックスは、使用者に対して、その人専用のデジタルキーをその場で作成することができるため、全ての使用者の数の半分、また１／３程度の数のデジタルキーをデジタルキーボックスで管理すれば済み、デジタルキーボックスをコンパクトにすることができる。
【００１８】
また、本発明のデジタルキーボックスは、複数の扉を開錠するために使用者により使用されるデジタルキーを集中して保管管理するためのものであって、該デジタルキーが装着され、個人認証手段を有するデジタルキーボックスにおいて、デジタルキーが、ＩＣタグを備え、ＩＣタグが使用者を識別するための使用者識別情報と、複数の扉のうち使用者が開錠許可を有している２以上の扉を特定する扉特定データとを記憶するものであり、個人に１個ずつ割り当てられる個人デジタルキーと、ＩＣタグを備え、ＩＣタグが使用者を識別するための使用者識別情報と、複数の扉のうち使用者が開錠許可を有している２以上の扉を特定する扉特定データとを記憶するものであり、複数の使用者により共通に使用される共通デジタルキーと、を含み、デジタルキーボックスが、個人認証手段が特定の使用者を認識したときに、任意の共通デジタルキーのＩＣタグに、該当する使用者の使用者識別情報、または該当する使用者の扉特定データの少なくとも一方のデータを書き込むデータ書き込み手段と、デジタルキーの着脱を制限するロック手段と、個人認証手段により認識に成功した特定の使用者が個人デジタルキーを付与された者であるときには、特定の使用者の使用者識別情報を持つ個人デジタルキーの着脱制限をロック手段に解除させ、個人認証手段により認証に成功した特定の使用者が個人デジタルキーを付与された者でないときには、データ書き込み手段がデータを書き込んだ共通デジタルキーの着脱制限をロック手段に解除させるロック解除手段を有する。このようなデジタルキーボックスは、電子キーの使用頻度が低いものでも共通デジタルキーを用いて扉を開錠することができる。また、複数の使用者が共通デジタルキーを共用するので、デジタルキーボックスは、使用者一人一人に付与した個人デジタルキーを管理する場合と比べて、管理する電子キーの数を減らすことができる。よって、本発明のデジタルキーボックスによれば、デジタルキーボックスをコンパクトにすることができる。
【００１９】
また、本発明のデジタルキーボックスは、複数の共通デジタルキーを、第１条件に従う第１グループと、第２条件に従う第２グループとにグループ分けするグループ作成手段を有するので、第１グループに属する共通デジタルキーと、第２グループに属する共通デジタルキーとを異なる条件（例えば、使用者の属性、使用者が共通デジタルキーを使用する頻度、共通デジタルキーを使用する時間帯）で使用者に使用させることができる。
【００２０】
本発明のデジタルキーボックスは、扉特定データを用いて扉を開錠可能な有効時間を示す有効時間データをＩＣタグに書き込む有効時間データ書込手段を有する。そのため、デジタルキーボックスから取り出されたデジタルキーは、有効時間を経過すると扉を開閉できず、デジタルキーとしての機能を失う。よって、本発明のデジタルキーボックスによれば、デジタルキーが不正使用される危険を低減できる。
本発明のデジタルキーボックスは、有効時間データ書込手段が、使用者の属性、保管物の種類、扉の設置場所に応じて有効時間を変更してＩＣタグに書き込むものである。このような本発明のデジタルキーボックスは、使用者や保管物、扉の設置場所に適した有効時間をＩＣタグに記憶させるので、有効時間を一律に設定する場合と比べて第三者がデジタルキーを不正使用する機会が減り、セキュリティを向上させることができる。
【００２１】
本発明のデジタルキーボックスは、使用者識別情報が、個人認証手段と、扉の開閉権限を認証して扉の開閉を許可する手段とに共通して使用される生体情報である。そのため、個人認証手段に生態情報を読み取る生体情報読み取り手段を設ければ、扉側に生体情報読み取り手段を設ける必要がなくなり、扉を備える保管庫や入退室管理システムなどのコストダウンを図ることができる。
【発明を実施するための最良の形態】
【００２２】
次に、本発明に係るデジタルキーボックスの一実施形態について図面を参照して説明する。
【００２３】
＜デジタルキーボックスの全体構成＞
図１にデジタルキーボックス３０の構成図を示す。
デジタルキーボックス３０は、複数の保管庫の扉を開錠するために使用される電子キー１を集中して保管管理するためのものである。デジタルキーボックス３０は、開閉扉３１が付設され、通常、開閉扉３１は閉じられている。デジタルキーボックス３０の開閉扉３１の内側には、１０個の電子キー１（図６参照）を保持するキー孔ユニット３８（３８Ａから３８Ｊまで）が付設されている。デジタルキーボックスの開閉扉３１の右側の表面には、ＩＣカード読取部３２、テンキー操作部３３、液晶表示部３４が付設されている。キー孔ユニット３８は、電子キー１が装着されるキー孔３５、ＬＥＤ４３、ネームプレート３７を有している。キー孔３５には、キー抜け阻止手段であるロック手段４１（図２参照）により、通常電子キー１を抜くことができない状態となっている。
【００２４】
次に、デジタルキーボックスのコントローラについて説明する。図２に制御の構成をブロック図で示す。コントローラ４４は、ＣＰＵ４５、ＲＯＭ４６、履歴記憶部４９を備えている。ＲＯＭ４６は、制御プログラム５０、電子キーＩＤ記憶部４７、アクセス権記憶部４８、有効時間データ設定部５１を備えている。
コントローラ４４には、各キー孔ユニット３８に対応して付設されている電子キー１をロックして抜けないようにするロック手段４１Ａ〜４１Ｊ、電子キー１が装着されたときに、電子キー１に内蔵されたＩＣタグ１３に記憶されているデータを読み取るためのＩＣタグデータ読取手段４２Ａ〜４２Ｊ、有効時間データを電子キー１に書き込むためのデータ書き込み手段４０Ａ〜４０Ｊ、使用者を識別するための個人ＩＤ番号や使用者が開錠許可を有している保管庫の扉を特定する扉特定データなどのデータを電子キー１に書き込むデータ書き込み手段３９Ａ〜３９Ｊ、ＬＥＤ４３Ａ〜４３Ｊが接続されている。また、コントローラ４４には、液晶表示部３４、テンキー操作部３３、ＩＣカード読取部３２が接続されている。
【００２５】
＜電子キーの構成＞
図６は、電子キー１を示す図である。
電子キー１は、ＩＣタグ１３を備える。ＩＣタグは、データやプログラムを読み書き可能なメモリや、データを加工・演算するＣＰＵなどを備える。ＩＣタグ１３には、第１端子１１と第２端子１２が接続している。ＩＣタグ１３は、絶縁カバー４で覆われている。第２端子１２は、デジタルキーボックス３０のキー孔３５や保管庫の錠前に差し込み可能な形状で、ケース４から外部へ突き出すように設けられている。第２端子１２は、ロック手段４１（図２）が係合する凹部２ｄを備える。第１端子１１は、板状をなし、第２端子１２に対して直交するように配置され、ケース４の外部において第２端子１２の両側に露出している。電子キー１には、ＬＥＤ９が視認可能に設けられている。
【００２６】
図７は、電子キー１の回路構成を示す図である。
電子キー１は、第１及び第２端子１１，１２の間にＩＣタグ１３が配置されている。ＬＥＤ９は、ＩＣタグ１３と並列に設けられ、第１及び第２端子１１，１２に流れる電流を利用して点灯する。よって、電子キー１は、第１及び第２端子１１，１２がリーダライタに正常に接触して、ＩＣタグ１３がデータを正常に読み取られたり、ＩＣタグ１３にデータが正常に書き込まれる場合に、ＬＥＤ９が第１及び第２端子１１，１２に点灯する。そのため、ユーザは、ＬＥＤ９の点灯するか否かにより、ＩＣタグ１３にデータが正常に読み書きされたかを確認できる。
【００２７】
＜デジタルキーボックスの使用形態＞
次に、実施例のデジタルキーボックス３０の使用形態について説明する。
上記構成を有するデジタルキーボックス３０の使用形態としては、２つの方式が考えられる。それらの方法は、ＲＯＭ４６に記憶させる制御プログラム５０により変更される。２つの方式である、個人デジタルキー方式、及び共通デジタルキー方式について、順次説明する。
＜個人デジタルキー方式＞
電子キー１を個人に１個ずつ割り当てて管理する方式である。図１に示すデジタルキーボックス３０では、１０人分の電子キー１を管理できる。電子キー１には、固有の識別番号（電子キーＩＤ）が記憶されている。本実施例では、接触式ＩＣタグ１３の固有の識別番号を電子キーＩＤに利用している。市販されている接触式ＩＣタグは、各々が固有の識別番号を有しており、同じものはなく、また書き換えも困難なので便利である。電子キーＩＤは、使用者を識別するための使用者識別情報として使用される。
【００２８】
図３に、個人デジタルキー方式の場合の制御プログラム５０をフローチャートで示す。
使用者は、デジタルキーボックス３０の所に行き、所持しているＩＣカードをＩＣカード読取部３２に読み取らせる（Ｓ１１；ＹＥＳ）。そして、テンキー操作部３３により、暗証番号を入力する(Ｓ１２)。コントローラ４４の電子キーＩＤ記憶部４７は、ＩＣカード読取部３２が読み取ったＩＣカードと対応する暗証番号を記憶しており、入力された暗証番号を照合する（Ｓ１３）。そして、正しい暗証番号が入力されたときのみ(Ｓ１３；ＹＥＳ)、有効時間データ設定部５１が設定した有効時間データを有効時間データ書込手段４０により電子キー１に書き込んだ後、開閉扉３１を開放する。本実施例では、テンキー操作部３３を用いているが、静脈認証装置、指紋認証装置等により個人認証を行っても良い。個人認証を行うのは、他人のＩＣカードを使用して不正行為が行われるのを防止するためである。
【００２９】
ここで、有効時間データ設定部５１は、使用者の属性、保管物の種類、保管庫の設置場所の少なくとも一つに基づいて有効時間データを設定する。
例えば、有効時間データ設定部５１は、使用者を平社員クラス、課長クラス、部長クラス、役員クラスに分けて記憶しており、例えば平社員クラスの有効時間を５分、課長クラスの有効時間を１０分、部長クラスの有効時間を１５分、役員クラスの有効時間を２０分に設定するなど、階層に応じて有効時間の長さを設定する。
また例えば、有効時間データ設定部５１は、保管庫を開いて書類内容を確認する時間を鑑みて、書類ファイルを収納する保管庫に対する有効時間を、ＣＤ−ＲＯＭやＵＳＢメモリを収納する保管庫に対する有効時間より長く設定する。
また例えば、有効時間データ設定部５１は、例えば地下２階地上１０階建てのビルにおいてデジタルキーボックス３０が地下２階にある場合に、地上１０階の保管庫に対する有効時間を地上２階の保管庫に対する有効時間より長く設定する。
【００３０】
コントローラ４４は、開閉扉３１を開放すると同時に、個人認証した個人用の電子キー１が装着されているキー孔ユニット３８のロック手段４１を解除する（Ｓ１４）。ロック手段４１は、電子キー１の凹部２ｄを利用して、図示しないロック部材をソレノイドで駆動させて係合・解除を行っている。また、解除したキー孔ユニット３８のＬＥＤ４３を点灯する（Ｓ１４）。使用者は、これにより、自分専用の電子キー１を抜き取ることができる。コントローラ４４は、ＩＣタグデータ読取手段４２が電子キー１を検出しなくなったときに、電子キー１がキー孔３５から抜き取られたと判断して（Ｓ１５；ＹＥＳ）、認証した個人、取り出された電子キー１、取り出された時間を履歴記憶部４９に記憶した後（Ｓ１６）、Ｓ１９へ進む。
本デジタルキーボックス３０では、電子キー１を直接、キー孔３５に装着させているので、キー孔ユニット３８に付設されたＩＣタグデータ読取手段４２により、装着された電子キー１のＩＣタグデータを読み取るため、電子キー１が正規の鍵であるか否かを確実に管理することができる。
【００３１】
電子キー１に対応する特定の個人が有する扉特定データについては、個人デジタルキー方式の場合には、予め電子キー１に記憶されている。ここで、特定の個人がアクセス可能な保管庫が増減した場合には、デジタルキーボックス３０が電子キー１を収納する間に電子キー１の扉特定データを書き換える。電子キー１は、セキュリティを確保するために、基本的に使用時を除いてデジタルキーボックス３０へ返却される。そのため、電子キー１は、使用者が開錠できる保管庫の変更に速やかに対応して最新の扉特定データを記憶し、特定の個人が開錠できる保管庫を使用できない不具合を回避できる。
【００３２】
そして、従来の電子キーは、個人が使用できる保管庫を１個だけ記憶し、その保管庫の専用鍵として使用されていたため、保管庫は、開錠できる使用者の電子キーＩＤをメモリに記憶し、電子キーから読み取った電子キーＩＤがメモリに登録されている場合に開錠していた。そして、保管庫は、開錠できる使用者に変更があった場合には、メモリに登録されている電子キーＩＤを書き換えていた。この書き換えは、保管庫別に手入力すると手間がかかり、入力漏れを生じる危険がある。一方、保管庫をネットワークを介してサーバに接続すれば、入力の手間や入力漏れの危険を低減できるが、システムが高価になる。これに対して、保管庫は、ＩＣタグ１３に扉特定データを記憶した電子キー１に自分の管理する識別番号があることを確認したときに開錠するシステムを採用すれば、開錠できる人の電子キーＩＤを記憶したり、ネットワークを構築する必要がなく、開錠権限の変更に適切に対応できるシステムを安価に構築できる。
【００３３】
また、デジタルキーボックス３０は、電子キー１が取り出される場合に、例えば、電子キー１をデジタルキーボックス３０から取り出してから５分間保管庫Ａを開錠できることを示す有効時間データを電子キー１のＩＣタグ１３に記憶させる。使用者は、デジタルキーボックス３０の設置場所から所望の保管物（書類ファイル、ＣＤ−ＲＯＭ、ＵＳＢ、パソコン等）が収納されている保管庫Ａへ行き、電子キー１を保管庫に設けた鍵ユニットの錠前に差し込む。
【００３４】
保管庫Ａの錠前には、電子キー１のＩＣタグ１３に設けられた第１及び第２端子１１，１２に接触してＩＣタグ１３からデータを読み取るＩＣタグデータ読み取り手段が設けられている。鍵ユニットは、ＩＣタグデータ読み取り手段により保管庫Ａに対応する有効時間データを電子キー１のＩＣタグ１３から読み出す。鍵ユニットは、有効時間データが示す有効時間内に電子キー１が保管庫Ａの錠前に差し込まれた場合は、保管庫Ａの開閉を許可する。一方、鍵ユニットは、有効時間データが示す有効時間内に電子キー１が保管庫Ａの錠前に差し込まれなかった場合には、保管庫Ａの開閉を許可しない。このように、電子キー１は、有効時間が経過すると保管庫Ａの鍵としての機能を失う。
【００３５】
そのため、使用者が保管庫Ａを開閉した後に電子キー１をデジタルキーボックス３０に返却しないまま、有効時間が経過した場合には、正当権限を有する使用者であっても当該電子キー１を用いて保管庫Ａを開閉できなくなる。この場合、使用者は、デジタルキーボックス３０へ行って電子キー１を一旦返却し、再度電子キー１を取り出す手続をして電子キー１に有効時間データを書き込んでもらえば、電子キー１を用いて保管庫を開閉できるようになる。
【００３６】
保管庫を開錠した場合、電子キー１のＩＣタグ１３には、保管庫側のコントローラにより、保管庫の識別番号、開錠した日時、及び閉錠した日時が書き込まれる。また、保管庫は、電子キー１が差し込まれる錠前の近くにＣＣＤカメラ等の撮像手段を配置し、保管庫を開錠した者の顔を撮像手段で撮像する。保管庫側のコントローラは、撮像手段が撮像した画像データを使用履歴の一つとして電子キー１のＩＣタグ１３に書き込む。電子キー１により、複数の保管庫の開錠を行った場合には、全ての使用履歴データが、電子キー１のＩＣタグ１３に記憶される。
電子キー１をデジタルキーボックス３０に返却したとき（抜き取り確認ができなかったとき）に（Ｓ１５：ＮＯ）、ＩＣタグデータ読取手段４２は、電子キー１の電子キーＩＤを読み取り、個人認証した特定の個人に対応する正しい電子キー１が返却されたことを確認し（Ｓ１７；ＹＥＳ）、返却時間を履歴記憶部４９に記憶する（Ｓ１８）。次に、コントローラ４４のＩＣタグデータ読取手段４２により電子キー１のＩＣタグ１３から読み取った使用履歴が、個人用電子キー１の使用履歴として履歴記憶部４９に記憶される（Ｓ１９）。
【００３７】
これにより、履歴記憶部４９は、各電子キー１についてデジタルキーボックス３０から取り出された日時、返却された日時、保管庫での使用履歴を全て記憶する。
後で、保管庫内の書類の紛失等のトラブルが発生したときに、電子キー１のＩＣタグ１３やコントローラ４４の履歴記憶部４９に記憶されている使用履歴をチェックすることにより、責任の所在を追及することができる。また、全ての履歴を管理していることを使用者に知らせることにより、使用者がデジタルキーボックス３０から電子キー１を取り出した後、すばやく保管庫の利用を行うことが期待できるため、電子キー１が机の上に長時間置きっぱなしになるような事態を回避することができる。
その後、開閉扉３１を閉じることを液晶表示部３４に表示して指示する（Ｓ２０）。開閉扉３１が閉じられたことを確認して（Ｓ２１；ＹＥＳ）、Ｓ１１へ戻る。
【００３８】
上記個人デジタルキー方式のデジタルキーボックス３０によれば、オフィスに配置された複数の保管庫を開錠するために、使用者により使用される電子キー１を集中して保管管理するためのものであって、該電子キー１が装着され、個人認証手段であるテンキー操作部３３・電子キーＩＤ記憶部４７を有するデジタルキーボックス３０において、（ａ）電子キー１がＩＣタグを備え、ＩＣタグ１３の電子キーＩＤと、複数の保管庫のうち使用者が開錠許可を有している２以上の保管庫を特定する扉特定データとを記憶すること、（ｂ）デジタルキーボックス３０が、電子キー１のＩＣタグ１３からデータを読み取るデータ読み取り手段４２Ａ，４２Ｂ…と、電子キー１の着脱を制限するロック手段４１Ａ，４１Ｂ…と、コントローラ４４が特定の使用者を認識したときに（Ｓ１３；ＹＥＳ）、該当する使用者の個人識別情報を持つ電子キー１の着脱制限をロック手段４１に解除させるロック解除手段（Ｓ１４）とを有するので、使用者が開錠を許可されている収納ボックスを順次調べるときに、１つの電子キー１を所持するだけで済むため、便利である。また、個人で管理している電子キー１に関しても、デジタルキーボックス３０で管理できるため、個人がオフィスから電子キー１を持ち出すことを禁止することができる。
【００３９】
また、本実施例のデジタルキーボックス３０は、ＩＣタグ１３が、保管庫を使用した使用履歴を記憶すること、ＩＣタグデータ読取手段４２がその使用履歴を読み取ることを行うので（Ｓ１９）、使用者が電子キー１をデジタルキーボックス３０に返却したときに、デジタルキーボックス３０は、その電子キー１の使用履歴を把握できるため、使用者が何時に電子キー１を持ち出し、どの収納ボックスを何時から何時まで使用したか、という使用履歴を把握でき、電子キー１の管理を十分に行うことができる。
【００４０】
本実施例のデジタルキーボックス３０は、扉特定データを用いて保管庫を開錠可能な有効時間を示す有効時間データを電子キー１のＩＣタグ１３に書き込む有効時間データ書込手段４０を有する。そのため、デジタルキーボックス３０から取り出された電子キー１は、有効時間データによって特定される有効時間を経過すると保管庫の錠前に差し込んでも保管庫を開錠できず、鍵としての機能を失う。よって、本実施例のデジタルキーボックス３０によれば、電子キー１が不正使用される危険を低減できる。
【００４１】
本実施例のデジタルキーボックス３０は、有効時間データ書込手段４０が、使用者の属性、保管物の種類、保管庫の設置場所の少なくとも一つに応じて有効時間を変更してＩＣタグ１３に書き込むものである。このようなデジタルキーボックス３０は、使用者や保管物、保管庫の設置場所に適した有効時間をＩＣタグ１３に記憶させるので、有効時間を一律に設定する場合と比べて第三者がデジタルキーを不正使用する機会が減り、セキュリティを向上させることができる。しかも、有効時間が経過して電子キー１が鍵としての機能を失ったとしても、電子キー１が第三者に盗まれると、デジタルキーボックス３０に残っている使用履歴から責任を追及されるので、使用者は早く電子キー１を返却する意識が働く点でも、セキュリティを向上させることができる。
【００４２】
＜共通デジタルキー方式＞
共通の意味には、複数人が１個の電子キー１を使用する意味での主観的な共通と、１個の電子キー１を複数の保管庫に使用できる意味での客体的な共通とが考えられる。本明細書では、主観的な共通に着目して、個人的に１個ずつ割り当てられる電子キー１を「個人デジタルキー」、複数の使用者により共通に使用される電子キー１を「共通デジタルキー」という。よって、共通デジタルキー方式は、電子キー１を個人に１個ずつ割り当てずに、共通デジタルキーとして管理する方式である。基本的構成等は、個人デジタルキー方式と同じなので、相違する点のみ詳細に説明する。
図１に示すデジタルキーボックス３０では、１０個の電子キー１を管理できる。
【００４３】
図４に、共通デジタルキー方式の場合の制御プログラム５０をフローチャートで示す。
使用者は、デジタルキーボックス３０の所に行き、所持しているＩＣカードをＩＣカード読取部３２に読み取らせる（Ｓ３０；ＹＥＳ）。そして、テンキー操作部３３により、暗証番号を入力する(Ｓ３１)。コントローラ４４の電子キーＩＤ記憶部４７は、ＩＣカード読取部３２が読み取ったＩＣカードと対応する暗証番号を記憶しており、入力された暗証番号を照合する（Ｓ３２）。そして、正しい暗証番号が入力されたときのみ(Ｓ３２；ＹＥＳ)、開閉扉３１を開放する。本実施例では、テンキー操作部３３を用いているが、静脈認証装置、指紋認証装置等により個人認証を行っても良い。個人認証を行うのは、他人のＩＣカードを使用して不正行為が行われるのを防止するためである。
【００４４】
Ｓ３３の後、２つのルートに分かれて制御される。コントローラ４４が、使用者が現在電子キー１を借りていないと判断した場合には（Ｓ３３；ＮＯ）、Ｓ３４へ進む。一方、コントローラ４４が、使用者が現在電子キー１を借りていると判断した場合には（Ｓ３３；ＹＥＳ）、Ｓ４２へ進む。
先に、使用者が現在電子キー１を借りていない場合（Ｓ３３；ＮＯ）について説明する。
この場合には、液晶表示部３４に、使用者が必要とする保管庫の番号を入力させる（Ｓ３４）。この場合に、液晶表示部３４の特性を生かして、図示表示等行い、使用者が容易に保管庫の番号を特定できるようにすると良い。
使用者が保管庫の番号を入力すると（Ｓ３４）、番号入力が完了したか否か、液晶表示部３４に表示を行い確認する（Ｓ３５）。使用者は、複数の保管庫を開錠したい場合には、全ての保管庫の番号を入力する（Ｓ３４，Ｓ３５）。
【００４５】
コントローラ４４は、入力された保管庫の番号を、保管庫を開錠して保管物にアクセスできるアクセス権を使用者毎に記憶するアクセス権記憶部４８に照合し、個人認証に成功した使用者が入力した番号の保管庫全てにアクセス可能であるならば、データ書き込み手段３９により入力された保管庫の番号を扉特定データとして、デジタルキーボックス３０に現在収納されている任意の電子キー１のＩＣタグ１３に書き込む（Ｓ３６）。同時に、ＩＣタグ１３に、有効時間データ設定部５１が設定した有効時間データと、使用者を識別するための個人のＩＤ番号（使用者識別情報の一例）を書き込む（Ｓ３６）。これにより、共通の電子キー１が、当該使用者専用の鍵となる。もし、当該使用者がアクセス権を有しない保管庫の番号が入力されているときは、その旨、液晶表示部３４に表示する。
次に、コントローラ４４は、開閉扉３１を開放すると同時に、データを書き込んだ任意の電子キー１が装着されているキー孔ユニット３８のロック手段４１を解除する（Ｓ３７）。ロック手段４１は、電子キー１の凹部２ｄを利用して、図示しないロック部材をソレノイドで駆動させて係合・解除を行っている。また、解除したキー孔ユニット３８のＬＥＤ４３を点灯する（Ｓ３７）。使用者は、ＬＥＤ３８の点灯により、専用鍵となった電子キー１を簡単に抜き取ることができる。コントローラ４４は、ＩＣタグデータ読取手段４２が電子キー１を検出しなくなったときに、電子キー１がキー孔３５から抜き取られたと判断して（Ｓ３８；ＹＥＳ）、認証した個人、取り出された電子キー１、取り出された時間を履歴記憶部４９に記憶する（Ｓ３９）。その後、開閉扉３１を閉じることを液晶表示部３４に表示して指示する（Ｓ４０）。開閉扉３１が閉じられたことを確認して（Ｓ４１；ＹＥＳ）、Ｓ３０へ戻る。
【００４６】
本デジタルキーボックス３０では、電子キー１を直接、キー孔３５に装着させているので、キー孔ユニット３８に付設されたＩＣタグデータ読取手段４２により、装着された電子キー１のＩＣタグデータを読み取って、電子キー１が正規の鍵であるか否かを確実に管理することができる。
保管庫を開錠した場合、ＩＣタグ１３には、保管庫側のコントローラにより、保管庫の識別番号、開錠した日時、及び閉錠した日時が書き込まれる。電子キー１により、複数の保管庫の開錠を行った場合には、全ての使用履歴データが、電子キー１のＩＣタグ１３に記憶される。
【００４７】
次に、使用者が現在電子キー１を借りている場合（Ｓ３３；ＹＥＳ）について説明する。この場合には、コントローラ４４は、開閉扉３１を開放すると同時に、電子キー１が装着されていないキー孔ユニット３８のロック手段４１を解除状態とする（Ｓ４２）。
使用者は、電子キー１が装着されていない任意のキー孔３５に、電子キー１を返却する（Ｓ４３）。電子キー１がデジタルキーボックス３０に返却されたときに、ＩＣタグデータ読取手段４２は、電子キー１の電子キーＩＤを読み取り、個人認証した特定の個人が借りていた電子キー１が返却されたことを確認し（Ｓ４４；ＹＥＳ）、返却時間を履歴記憶部４９に記憶する（Ｓ４５）。次に、コントローラ４４のＩＣタグデータ読取手段４２が電子キー１から読み取った使用履歴データが、履歴記憶部４９に、個人用電子キー１の使用履歴として記憶される（Ｓ４６）。
【００４８】
これにより、履歴記憶部４９は、各電子キー１について、デジタルキーボックス３０から取り出された日時、返却された日時、保管庫での使用履歴を全て記憶する。
後で、保管庫内の書類の紛失等のトラブルが発生したときに、使用履歴をチェックすることにより、責任の所在を追及することができる。また、全ての履歴を管理していることを使用者に知らせることにより、使用者がデジタルキーボックス３０から電子キー１を取り出した後、すばやく保管庫の利用を行うことが期待できるため、電子キー１が机の上に長時間置きっぱなしになるような事態を回避することができる。
その後、開閉扉３１を閉じることを液晶表示部３４に表示して指示する（Ｓ４０）。開閉扉３１が閉じられたことを確認して（Ｓ４１；ＹＥＳ）、Ｓ３０へ戻る。
【００４９】
上記共通デジタルキー方式のデジタルキーボックス３０によれば、オフィスに配置された複数の保管庫を開錠するために、複数の使用者により共通に使用される共通デジタルキーである電子キー１を集中して保管管理するためのものであって、電子キー１が装着され、個人認証手段であるテンキー操作部３３・電子キーＩＤ記憶部４７を有するデジタルキーボックス３０において、（ａ）電子キー１がＩＣタグ１３を備え、ＩＣタグ１３が使用者を識別する個人のＩＤ番号と、複数の保管庫のうち使用者が開錠許可を有している２以上の保管庫を特定する扉特定データとを記憶すること、（ｂ）デジタルキーボックス３０が、個人認証手段が特定の使用者を認識したときに、任意の電子キー１のＩＣタグ１３に、特定の使用者のＩＤ番号と、使用者が開錠許可を有している保管庫を特定する扉特定データの少なくとも一方のデータを書き込むデータ書き込み手段（Ｓ３６）と、電子キー１の着脱を制限するロック手段４１Ａ，４１Ｂと、データ書き込み手段がＩＣタグ１３にデータを書き込んだ電子キー１の着脱制限をロック手段４１に解除させるロック解除手段（Ｓ３７）を有する。このようなデジタルキーボックス３０は、使用者に対して、その人専用の鍵をその場で作成することができるため、全ての使用者の数の半分、また１／３程度の数の鍵をデジタルキーボックスで管理すれば済み、デジタルキーボックスをコンパクトにすることができる。
【００５０】
尚、デジタルキーボックス３０は、共通デジタル方式を採用しても、保管庫の使用履歴を電子キー１から読み取って記憶したり、有効時間データを電子キー１に書き込むことにより、個人デジタル方式と同様の作用効果を奏する。
【００５１】
ところで、デジタルキーボックス３０は、全ての電子キー１を貸し出してしまうと、複数の人が共通して使用する電子キー１に使用者の保管庫データとＩＤ番号を書き込んで当該使用者専用の鍵を発行できなくなる。この場合、その使用者は、保管庫を開錠して書類ファイルやＣＤ−ＲＯＭ、ＵＳＢメモリなどの保管物を取り出すことができず不便である。そうかと言って、全ての電子キー１を個人用としたのでは、管理する電子キー１の数が増えてコストアップし、また使用頻度の低い者にまで電子キー１を１個与えるのは無駄である。そこで、デジタルキーボックス３０は、キー孔ユニット３８Ａ〜３８Ｊで管理する電子キー１をグループ化し、グループ毎に電子キー１を使用する条件を変えている。
【００５２】
図５は、共通して使用される電子キー１（共通デジタルキー）をグループ化するときのプログラムを示すフローチャートである。このプログラムは、コントローラ４４のＲＯＭ４６に記憶されている。
コントローラ４４は、例えば、使用者がコントローラ４４に共通デジタルキーのグループ化指令を入力した場合、或いは、直近に共通デジタルキーのグループ化をしてから一定期間（例えば１年）が経過して共通デジタルキーのグループ化指令を入力した場合に、共通デジタルキーをグループ化するための条件を設定する（Ｓ５１：ＹＥＳ、Ｓ５２）。条件設定は、共通デジタルキーのグループ化指令を入力する度にコントローラ４４の管理者に入力させても良いし、直近の共通デジタルキーのグループ化で使用した条件を更新して使用しても良い。
【００５３】
そして、設定された条件が、使用者の属性に関するものかを判断する。使用者の属性である場合には、共通デジタルキーとしての電子キー１を使用可能な使用者の属性（例えば、平社員クラス、課長クラス、部長クラス）をコントローラ４４のメモリから読み出して取得する（Ｓ５３：ＹＥＳ、Ｓ５４）。そして、属性別に人数をカウントして、各グループに振り分ける共通デジタルキーの本数を決定する。例えば、共通デジタルキーとしての電子キー１を使用可能な使用者の数が３０人である場合に、平社員クラスが２０人、課長クラスが７人、部長クラスが３人であるとする。部長クラスは、電子キー１の使用頻度が高いと考えられるので、部長クラスのグループには部長クラスに属する人数に相当する３本の電子キー１を割り当てる。課長クラスは、部長クラスより電子キー１を使用する頻度が低いものの、平社員より使用頻度が高いと考えられる。そこで、平社員クラスの使用者が電子キー１を共有する割合より高い割合で、課長クラスのグループに電子キー１を割り当てる。例えば、課長クラスのグループには、３本の電子キー１を割り当て、平社員クラスのグループには、４本の電子キー１を割り当てる（Ｓ５５）。
【００５４】
そして、各グループに割り当てた電子キー１を管理するキー孔ボックス３８を決定し、共通デジタルキーをグループ化する。例えば、部長クラスのグループの電子キー１は、キー孔ボックス３８Ａ〜３８Ｃに管理させる。また、課長クラスのグループの電子キー１は、キー孔ユニット３８Ｄ〜３８Ｆに管理させる。更に、平社員クラスのグループの電子キー１は、３８Ｇ〜３８Ｊに管理させる（Ｓ５６）。その後、処理を終了する。
【００５５】
これにより、部長クラスの使用者は、デジタルキーボックス３０へ来ればいつでも電子キー１を取り出すことができ、個人用の電子キー１と同様にして電子キー１を使用できる。また、課長クラスの使用者は、電子キー１を１個ずつ割り当てられないものの、平社員よりデジタルキーボックス３０から電子キーを取り出しやすい。よって、使用者の属性によって共通デジタルキーをグループ化することにより、デジタルキーボックス３０の電子キー１を全て平社員に貸し出して部長クラスや課長クラスの使用者が電子キー１を使用できない不具合を低減できる。
【００５６】
設定条件が共通デジタルキーの使用頻度に関するものである場合には、履歴記憶部４９から使用者の使用履歴を読み出し、使用頻度別に使用者をグループ化する。そして、使用頻度が多い使用者のグループには、そのグループに属する使用者がいつでも電子キー１を使用できるように、使用頻度が高い使用者の分だけ電子キー１を割り当てる。また、使用頻度が少ないグループには、残りの電子キー１を割り当てる。例えば、使用頻度が多い使用者のグループには、６本の電子キー１を割り当て、使用頻度が少ない使用者のグループには、残り４本の電子キー１を割り当てる（Ｓ５７：ＹＥＳ、Ｓ５８、Ｓ５９）。そして、使用者属性の場合と同様にして、電子キー１をグループ化して処理を終了する（Ｓ５６）。
【００５７】
このように使用頻度によって共通の電子キー１をグループ化することにより、使用頻度が高い使用者が電子キー１を使用できない不具合を低減できる。
【００５８】
設定条件が共通デジタルキーの使用時間帯に関するものである場合には、履歴記憶部４９から使用者の使用履歴を読み出し、使用時間帯別に使用者をカウントして使用時間をグループ化する。そして、使用者の多い使用時間帯のグループには、割り当てる電子キー１の数を多くして、使用者の少ない使用時間帯のグループには、割り当てる電子キー１の数を少なくする。例えば、９時〜１２時の使用時間帯のグループには、７本の電子キー１を割り当て、１１時から１４時の使用時間帯のグループには、３本の電子キー１を割り当てる。更に、１３時〜１６時の時間帯のグループは、９時〜１２時の時間帯と重ならないため、７本の電子キー１を割り当てることにする（Ｓ６０：ＹＥＳ、Ｓ６１、Ｓ６２）。そして、使用者属性の場合と同様にして、電子キー１をグループ化して処理を終了する（Ｓ５６）。
【００５９】
このように使用時間帯によって共通の電子キー１をグループ化することにより、時間帯別に決められた本数ずつ電子キー１をデジタルキーボックス３０に残すことができる。
【００６０】
このように共通の電子キー１をグループ化したデジタルキーボックス３０は、ＩＣカード読取部３２が使用者のＩＣカードから読み取った情報に基づいて、その使用者がどのグループの電子キー１を使用できる者かを判断する。例えば、使用者が課長クラスの者であれば、キー孔ユニット３８Ｄ〜３８Ｆの電子キー１を使用できると判断する。この場合、デジタルキーボックス３０は、例えばキー孔ユニット３８Ｄの電子キー１に当該使用者のＩＤコードと扉特定データを書き込み、ロック手段４１Ｄを解除してＬＥＤ４３Ｄを点灯する。よって、使用者は、自分専用の鍵にされた電子キー１をキー孔ユニット３８から持ち出して保管庫を開錠できる。
【００６１】
その使用者が電子キー１を返却する場合には、デジタルキーボックス３０は、ＩＣカード読取部３２が使用者のＩＣカードから読み取った情報に基づいて、その使用者がどのグループの電子キー１を使用できる者かを判断する。そして、使用者が属するグループのキー孔ユニット３８のうち電子キー１が錠前３５に差し込まれていないキー孔ユニット３８のロック手段４１を開錠してＬＥＤ４３を点灯させる。例えば、先の課長クラスの使用者が、電子キー１を返却するときにキー孔ユニット３８Ｄに電子キー１が差し込まれていない場合には、コントローラ４４はロック手段４１Ｄのロックを開錠してＬＥＤ４３Ｄを点灯させる。使用者は、ＬＥＤ４３Ｄが点灯する錠前３５Ｄに電子キー１を差し込んで返却する。尚、電子キー１の返却場所は、同一グループ内のキー孔ユニット３８であれば、貸出場所と一致していなくても良い。よって、各グループの電子キー１は、各グループの電子キー１を管理するキー孔ユニット３８の何れかに返却され、各グループに割り当てた電子キー１の数がずれない。
【００６２】
従って、第１実施形態のデジタルキーボックス３０は、、複数の電子キー１を、第１条件に従う第１グループと、第２条件に従う第２グループとにグループ分けするグループ作成手段（Ｓ５３〜Ｓ６２）を有するので、第１グループに属する電子キー１と、第２グループに属する電子キー１とを異なる条件（例えば、使用者の属性、使用者が共通デジタルキーを使用する頻度、共通デジタルキーを使用する時間帯）で使用者に使用させることができる。この結果、電子キー１の使用頻度が高い使用者や電子キー１の使用数が多い時間帯に電子キー１がデジタルキーボックス３０に残っていないという共通デジタルキー方式特有の問題を解決できる。
【００６３】
＜併用方式＞
併用方式は、一つのデジタルキーボックス３０で、個人デジタルキー方式と共通デジタルキー方式とを併用して複数本の電子キー１を管理する方式である。個人デジタルキーと共通デジタルキーの基本的構成等は、上記個人デジタルキー及び共通デジタルキーと同じなので、相違する点のみ詳細に説明する。
併用方式では、例えば図１に示すデジタルキーボックス３０において、キー孔ユニット３８Ａ〜３８Ｇに個人デジタルキーとなる電子キー１を収容し、キー孔ユニット３８Ｈ〜３８Ｊに共通デジタルキーとなる電子キー１を収容する。
【００６４】
個人デジタルキーとなる電子キー１を収容するキー孔ユニット３８Ａ〜３８Ｇは、ＩＣタグ１３のデータを読み取るデータ読取手段４２と、ＩＣカード読取部３２が特定の使用者を認識したときに、特定の使用者の扉特定データを持つ個人デジタルキーのロック手段４１を解除する第１ロック解除手段を有する。
【００６５】
一方、共通デジタルキーとなる電子キー１を収容するキー孔ユニット３８Ｈ〜３８Ｊは、個人認証手段であるＩＣカード読取部３２が特定の使用者を認識したときに、任意の共通デジタルキーのＩＣタグ１３に、特定の使用者のＩＤ番号、または使用者の扉特定データの少なくとも一方のデータを書き込むデータ書き込み手段３９と、電子キー１をロックするロック手段４１Ａ，４１Ｂ…と、任意の共通デジタルキーのロック手段４１Ａ，４１Ｂ…を解除する第２ロック解除手段を有する。
【００６６】
このようなデジタルキーボックス３０は、例えば、保管庫を開閉する頻度が少ない者（平社員）には、個人デジタルキーとなる電子キー１を与えずに、キー孔ユニット３８Ｈ〜３８Ｊに収納されている電子キー１を使用させる。保管庫の開閉頻度が少ない者は、電子キー１の使用頻度が少ないからである。一方、デジタルキーボックス３０は、例えば、保管庫を開閉する頻度が多い者（部長）には、個人デジタルキーとなる電子キー１を付与して、デジタルキーボックス３０で管理する。
【００６７】
デジタルキーボックス３０は、ＩＣカード読取部３２が読み取ったＩＤ番号が、個人に１個電子キー１を与えられた者のＩＤ番号である場合には、個人デジタルキー方式に対応する制御プログラム５０を実行する。これにより、デジタルキーボックス３０は、ＩＤ番号に対応する使用者の電子キー１を収容するキー孔ユニット３８についてロック手段４１のロックを解除する。このとき、デジタルキーボックス３０は、ロックを解除した電子キー１に有効時間データ書込手段４０により有効時間データを書き込む。
【００６８】
一方、デジタルキーボックス３０は、ＩＣカード読取部３２が読み取ったＩＤ番号が、個人に１個電子キー１を与えられた者のＩＤ番号でない場合には、共通デジタルキー方式に対応する制御プログラムを実行する。これにより、デジタルキーボックス３０は、キー孔ユニット３８Ｈ〜３８Ｊの何れかに収容する電子キー１に当該使用者が開錠権限を有する保管庫の扉特定データと、有効時間データと、個人のＩＤ番号を書き込み、電子キー１を当該使用者専用の鍵とする。そして、デジタルキーボックス３０は、データを書き込んだ電子キー１を収容するキー孔ユニット３８のロック手段４１についてロックを解除し、専用鍵となった電子キー１を取り出し可能にする。
【００６９】
このような併用方式では、保管庫を開閉する頻度が多い者は、自分の個人デジタルキーをデジタルキーボックス３０に収納してあるので、デジタルキーボックス３０へ行けば自分の電子キー１を取り出して保管庫を開錠し、保管物を使用できる。これに対して、保管庫を開閉頻度が少ない者は、共通の電子キー１を使用して保管庫を開錠し、保管物を使用することができる。
【００７０】
よって、本実施例のデジタルキーボックス３０によれば、電子キー１の使用頻度が低いものに対しては、共通の電子キー１にＩＤ番号と扉特定データを書き込んで専用鍵を作成し、貸し出すことができる。また、複数の使用者が共通の電子キー１を共用するので、デジタルキーボックス３０は、使用者一人一人に付与した個人デジタルキーを管理する場合と比べて、管理する電子キー１の数を減らすことができる。
【００７１】
＜選択方式＞
選択方式は、１つのデジタルキーボックス３０について、個人デジタルキー方式と共通デジタルキー方式と併用方式とを使用者が選択する方式である。個人デジタルキーと共通デジタルキーの基本的構成等は、上記個人デジタルキー及び共通デジタルキーと同じなので、相違する点のみ詳細に説明する。
選択方式では、例えば図１に示すデジタルキーボックス３０のＩＣカード読取部３２において個人ＩＤを読み取り、その個人ＩＤがデジタルキーボックス３０の管理者である場合のみ、テンキー操作部３３を用いて個人デジタルキー方式と共通デジタルキー方式と併用方式とを選択可能にする。方式選択が終了すると、デジタルキーボックス３０は、選択された方式に従ってキー孔ユニット３８に収納された電子キー１を管理する。このようなデジタルキーボックス３０は、電子キー１の管理方式を任意に選択できるので、使い勝手が良い。
【００７２】
（第２実施形態）
続いて、本発明の第２実施形態について図面を参照して説明する。図８は、デジタルキーボックス６０の外観斜視図である。
第２実施形態のデジタルキーボックス６０は、非接触式ＩＣタグ６２を搭載したＩＣカード６１（デジタルキーの一例）を複数保管可能である点が、電子キー１を複数保管するデジタルキーボックス３０と相違する。よって、ここでは、第１実施形態と相違する点を中心に説明し、共通する点は、図面に同一符号を付し、説明を適宜省略する。
【００７３】
図８に示すデジタルキーボックス６０は、認証ボックス７０とカード収納ボックス８０とを一体にしたものである。認証ボックス７０は、液晶表示部３４の下に、指紋読み取り部７１が設けられている。認証ボックス７０は、デジタルキーボックス６０の動作を制御するための制御装置７２（個人認証手段、データ書き込み手段、ロック解除手段、グループ作成手段、有効時間データ書込手段の一例）を内蔵している。
【００７４】
一方、カード収納ボックス８０は、箱状の筐体８１に開閉扉８２が回動可能に保持されている。筐体８１には、図示しない電子錠（開閉許可手段の一例）が取り付けられている。図示しない電子錠は、開閉扉８２の係合部８３に係合して開閉扉８２の開閉を制限する。筐体８１の中空部８４には、２個のカード収納ユニット８５Ａ，８５Ｂが固定して取り付けられている。各カード収納ユニット８５Ａ，８５Ｂは、収納装置９０Ａ〜９０Ｅ，９０Ｆ〜９０Ｊを備える。
【００７５】
図９は、カード収納ユニット８５Ａを正面側から見た外観斜視図である。図１０は、カード収納ユニット８５Ａを背面側から見た外観斜視図である。図１１は、図９のＡ−Ａ断面図である。図１２は、図１０のＢ−Ｂ断面図である。尚、カード収納ユニット８５Ｂは、カード収納ユニット８５Ａと同一構成であるので、説明を省略する。
カード収納ユニット８５Ａは、収納装置９０Ａ〜９０Ｅがカバープレート８６に保持されている。カード収納ユニット８５Ａは、カバープレート８６の係止爪８６ａを筐体８１（図８参照）に係止させることにより、筐体８１に取り出し不能に取り付けられる。
【００７６】
図９に示すように、カバープレート８６には、収納装置９０Ａ〜９０Ｅを位置決めして挿入口９５を露呈させるように、開口部８７Ａ〜８７Ｅが形成されている。図９及び図１０に示すように、収納装置９０は、樹脂製の第１及び第２ケース部材９２，９３を重ねたケース９１にリードライタ部９８を重ね、それらを固定ねじ１０６で固定することにより、外観が構成されている。
【００７７】
図１２に示すように、ケース９１は、第１及び第２ケース部材９２，９３の間に収納部９９が形成されている。第１及び第２ケース部材９２，９３は、一端が折り返されて表面パネル部９２ａ，９３ａを有する。その表面パネル部９２ａ，９３ａの間に、ＩＣカード６１を収納部９９へ挿入させるための挿入口９５が形成されている。
【００７８】
図９及び図１１に示すように、第１及び第２ケース部材９２，９３は、表面パネル部９２ａ，９３ａの中央に凹部９２ｂ，９３ｂを形成し、収納部９９に収納したＩＣカード６１を取り出しやすくしている。図９に示すように、挿入口９５の上側には、ＬＥＤ９４が設けられ、ＩＣカード６１の取出位置又は返却位置を使用者に知らせるようになっている。
【００７９】
図１２に示すように、ケース９１は、挿入口９５の奥側に、遮蔽部材１０２が移動可能に配置されている。第１ケース部材９２には、ソレノイド１００がプランジャ１０１を下向きにして固定されている。プランジャ１０１には、遮蔽部材１０２が連結ピン１０３を介して連結されている。よって、ソレノイド１００の非駆動時には、プランジャ１０１がソレノイド１００から突出して、挿入口９５を遮蔽する遮蔽位置に遮蔽部材１０２を配置する。一方、ソレノイド１００の駆動時には、プランジャ１０１がソレノイド１００に吸引され、挿入口９５を開放する開放位置に遮蔽部材１０２を配置する。尚、第２実施形態では、ＩＣカード６１の着脱を制限するロック手段１０５は、ソレノイド１００、プランジャ１０１、遮蔽部材１０２、連結ピン１０３により構成されている。
【００８０】
図１０及び図１１に示すように、収納装置９０Ａ〜９０Ｅは、表面パネル９２ａ，９３ａを互いに接着されて一体化され、カバープレート８６に取り付けられている。カバープレート８６には、金属製の支持部材８９が収納装置９０Ａ〜９０Ｅの下側にそれぞれ固設され、絶縁部材８８を介して収納装置９０Ａ〜９０Ｅを支持している。そのため、収納装置９０Ａ〜９０Ｅは、自重によって傾かない。
【００８１】
リードライタ部９８とロック手段１０５のソレノイド１００とＬＥＤ９４は、図８に示す認証ボックス７０の制御装置７２に接続されている。制御装置７２には、デジタルキーボックス６０を開閉する権限を有する使用者の指紋が予め登録されている。制御装置７２は、使用者を識別するための使用者ＩＤ、デジタルキーボックス６０を開閉する権限、及び、ＩＣカードや保管庫の使用履歴を、登録された指紋に関連付けて記憶している。また、制御装置７２は、ＩＣカード６１を個人デジタルキー又は共通デジタルキーとして使用するためのフローチャートを格納している。
【００８２】
＜動作説明＞
デジタルキーボックス６０は、非接触式ＩＣタグ６２を搭載するＩＣカード６１を保管することを除き、第１実施形態のデジタルキーボックス３０と同様に動作する。以下、デジタルキーボックス６０の動作を簡単に説明する。
デジタルキーボックス６０は、待機中、制御装置７２が収納装置９０Ａ〜９０Ｊのソレノイド１００に通電しないため、ロック手段１０５が遮蔽部材１０２を遮蔽位置に配置して、ＩＣカード６１を取り出せないようにしている。
【００８３】
使用者が指紋読み取り部７１に指を擦って指紋を読み取らせると、デジタルキーボックス６０の制御装置７２は、ＩＣカード６１の有無を確認する。そして、ＩＣカード６１がデジタルキーボックス６０に１枚もない場合には、液晶表示部３４にその旨を表示する。一方、ＩＣカード６１がデジタルキーボックス６０に有る場合には、指紋読み取り部７１が読み取った指紋を、制御装置７２に登録された指紋と照合する。指紋読み取り部７１が読み取った指紋が、登録された指紋と一致しない場合には、制御装置７２は、図示しない電子錠を駆動させず、カード収納ボックス８０の開閉をさせない。
【００８４】
一方、指紋読み取り部７１が読み取った指紋が、登録された指紋と一致する場合には、当該使用者の個人用ＩＣカード６１が収納装置９０Ａ〜９０Ｊに収納されているか判断する。個人用ＩＣカード６１が、例えば収納装置９０Ｊに収納されている場合には、収納装置９０Ｊのソレノイド１００に通電して遮蔽部材１０２を遮蔽位置から開放位置へ移動させると共に、収納装置９０ＪのＬＥＤ９４を点灯させる。使用者が、収納装置９０ＪからＩＣカード６１を取り出したら、制御装置７２は、読み取った指紋とＩＣカード６１が持ち出された日時とを記憶する。
【００８５】
これに対して、個人用ＩＣカード６１が収納装置９０Ａ〜９０Ｊに収納されていない場合には、ＩＣカード６１を１枚選んで非接触式ＩＣタグ６２に読み取った指紋を書き込む。ここでは、収納装置９０Ａに収納されているＩＣカード６１に指紋を書き込んだものとする。そして、制御装置７２は、収納装置９０Ａのソレノイド１００に通電して遮蔽部材１０２に挿入口９５を開放させる。また、制御装置７２は、収納装置９０ＡのＬＥＤ９４を点灯させ、抜き出し可能なＩＣカード６１の位置を使用者に知らせる。使用者がＩＣカード６１を挿入口９５から抜き取ると、制御装置７２は、個人用ＩＣカード６１と同様にして、ＩＣカード６１の利用履歴を記憶する。そして、制御装置７２は、開閉扉８２が閉じられたことを検出すると、ソレノイド１００への通電を停止し、遮蔽部材１０２に挿入口９５を遮蔽させる。
【００８６】
ＩＣカード６１を使用して保管庫から保管物を取り出す又は返却する場合には、使用者は、ＩＣカード６１を保管庫の認証装置にかざす。すると、保管庫は、ＩＣカード６１に記憶された指紋を読み取って、保管庫側の制御装置に登録された指紋と照合し、ＩＣカード６１から読み取った指紋が登録された指紋と一致する場合に限り、保管庫の開閉を許可する。
【００８７】
ＩＣカード６１をデジタルキーボックス６０に返却する場合には、使用者は、指紋読み取り部７１に指紋を読み取らせて開閉扉８２を開く。制御装置７２は、例えば、ＩＣカード６１が収納されていない収納装置９０ＣのＬＥＤ９４を点滅させ、返却位置を使用者に知らせる。また、制御装置７２は、収納装置９０Ｃのソレノイド１００に通電して、遮蔽部材１０２に挿入口９５を開放させる。使用者が収納装置９０Ｃの収納部９９にＩＣカード６１を収納し、開閉扉８２を閉じると、制御装置７２は、ＩＣカード６１の非接触式ＩＣタグ６２から指紋を読み取り、指紋読み取り部７１で読み取った指紋と一致するか判断する。
【００８８】
ＩＣカード６１の非接触式ＩＣタグ６２から読み取った指紋が、指紋読み取り部７１が読み取った指紋と一致する場合には、制御装置７２は、指紋読み取り部７１が読み取った指紋とＩＣカード６１の返却日時を記憶する。
一方、ＩＣカード６１の非接触式ＩＣタグ６２から読み取った指紋が、指紋読み取り部７１が読み取った指紋と一致しない場合には、警報を発し、管理者に異常を通知する。
【００８９】
＜作用効果＞
従って、第２実施形態のデジタルキーボックス６０は、第１実施形態のデジタルキーボックス３０において保管対象物を電子キー１からＩＣカード６１に変えたものなので、第１実施形態のデジタルキーボックス３０と同様の作用効果を奏する。
【００９０】
簡単に説明すると、デジタルキーボックス６０は、複数人が共通して使用するＩＣカード６１に特定の使用者の指紋（使用者特定情報）を書き込むことにより、当該使用者専用のＩＣカード６１を作成する。そして、指紋を書き込んだＩＣカード６１のソレノイド１００に通電して遮蔽部材１０２を開放位置に配置し、ＩＣカード６１を取り出し可能にする。よって、デジタルキーボックス６０は、使用者の数の分だけＩＣカード６１を管理する必要がなく、デジタルキーボックス６０をコンパクトにできる。
【００９１】
また、デジタルキーボックス６０は、複数人が共通して使用するＩＣカード６１（共通デジタルキー）に加え、予め特定の使用者の指紋をＩＣカード６１に書き込んだ個人用のＩＣカード６１（個人デジタルキー）を管理する場合には、指紋認証で特定された使用者が個人用ＩＣカード６１を有する者である場合には、個人用ＩＣカード６１のソレノイド１００に通電して個人用ＩＣカード６１を取り出し可能とする一方、指紋認証で特定された使用者が個人用ＩＣカード６１を有する者でない場合には、共通ＩＣカード６１に読み取った指紋を書き込んで、データを書き込んだＩＣカード６１に対応するソレノイド１００に通電することにより、ＩＣカード６１を取り出し可能にする。よって、デジタルキーボックス６０は、使用者に個別に付与した個人用のＩＣカード６１を管理する場合と比べ、ＩＣカード６１の管理枚数を減らし、デジタルキーボックス６０をコンパクトにすることができる。
【００９２】
尚、デジタルキーボックス６０は、条件（使用者の属性、使用者がＩＣカード６１を使用する頻度、ＩＣカード６１を使用する時間帯など）によって共通ＩＣカード６１をグループ分けするようにすれば、異なる条件で共通ＩＣカード６１を貸し出すことができ、共通ＩＣカード６１の不足を回避できる。
また、ＩＣカード６１に有効時間を書き込めば、有効時間経過後にＩＣカード６１が鍵としての機能を失うため、ＩＣカード６１が不正使用される危険を回避できる。
【００９３】
また、デジタルキーボックス６０は、指紋認証により権限認証に成功した場合に、例えば、特定の収納装置９０Ａのロック手段１０５を解除して、収納装置９０ＡからのみＩＣカード６１を持ち出すことを許可するので、無断でＩＣカード６１が持ち出されることがない。よって、デジタルキーボックス６０を用いて複数のＩＣカード６１を保管することにより、ＩＣカード６１を厳重に管理することができる。
【００９４】
第２実施形態のデジタルキーボックス６０は、認証部７０と保管庫の認証に共通して使用される生体情報をＩＣカード６１に書き込む。そのため、認証部７９に指紋を読み取る指紋読み取り手段７１を設ければ、保管庫側に指紋読み取り手段を設ける必要がなくなり、保管庫のコストダウンを図ることができる。
【００９５】
尚、本発明は、上記実施の形態に限定されることなく、色々な応用が可能である。
（１）上記第１実施形態のデジタルキーボックス３０では、開閉扉３１を取り付けているが、開閉扉３１を取り付けなくても、ロック手段４１により、電子キー１の取り出しを管理することができる。
（２）共通デジタルキー方式に関する上記第１実施形態によれば、使用者が使用したい保管庫の番号を入力しているが（Ｓ３４）、個人認証を行っているので（Ｓ３２）、コントローラ４４が、個人認証した使用者が開錠できる保管庫をアクセス権記憶部４８に問い合わせ、使用者がアクセス権を有する保管庫の識別番号を全て扉特定データとして電子キー１のＩＣタグ１３に書き込んでも良い（Ｓ３６）。それにより、使用者が個別の保管庫番号を入力する手間を省くことができる。
（３）上記第１実施形態では、電子キー１が接触式ＩＣタグ１３を備えるが、接触式ＩＣタグ１３に代えて非接触式ＩＣタグを使用してもよい。そして、非接触式ＩＣタグにデータを読み書きするリーダライタ装置を、デジタルキーボックス３０のキー孔３５に設けてもよい。
（４）上記第１実施形態において、ＩＣカードに個人のＩＤ番号や指紋情報などの個人識別情報を記憶させ、それに基づいて個人認証しても良い。そして、ＩＣカードから読み取った個人識別情報を電子キー１に記憶させ、保管庫側の権限認証に用いても良い。
（５）上記第２実施形態では、デジタルキーボックス６０と保管庫が指紋に基づいて権限認証したが、指紋以外のＩＤ情報や、静脈、顔など個人を識別できるものであれば、それらの情報に基づいて権限認証をデジタルキーボックス６０や保管庫に行わせても良い。
（６）上記第２実施形態では、非接触式ＩＣタグ６２を搭載するＩＣカード６１を用いたが、ＩＣカードは、接触式ＩＣタグを備えるものであっても良い。
（７）上記第２実施形態では、デジタルキーボックス６０がＩＣカード６１を保管するが、デジタルキーになり得る電子キーや携帯端末などをデジタルキーボックス６０に保管するようにしても良い。
（８）上記実施形態では、保管庫の開錠に使用される電子キー１とＩＣカード６１を管理するデジタルキーボックス３０，６０を説明した。これに対して、デジタルキーボックス３０，６０は、保管庫や机の引き出しや、部屋の出入り口に設けられた出入口扉、入退室管理システムにおける入退室制限用のバーの開閉に使用される電子キー１やＩＣカード６１を管理するものであっても良い。
【図面の簡単な説明】
【００９６】
【図１】本発明の第１実施形態に係るデジタルキーボックスの正面図である。
【図２】デジタルキーボックスの制御構成を示すブロック図である。
【図３】電子キーを個人デジタルキーとして使用するときの制御方法を示すフローチャートである。
【図４】電子キーを共通デジタルキーとして使用するときの制御方法を示すフローチャートである。
【図５】共通デジタルキーをグループ化するときの制御方法を示すフローチャートである。
【図６】電子キーを示す平面図である。
【図７】電子キーの電気回路構成を示す回路図である。
【図８】第２実施形態に係るデジタルキーボックスの外観斜視図である。
【図９】カード収納ユニットを正面側から見た外観斜視図である。
【図１０】カード収納ユニットを背面側から見た外観斜視図である。
【図１１】図９のＡ−Ａ断面図である。
【図１２】図１０のＢ−Ｂ断面図である。
【符号の説明】
【００９７】
１    電子キー（デジタルキー、個人デジタルキー、共通デジタルキーの一例）
３０，６０  デジタルキーボックス
４０  有効時間データ書込手段
４１Ａ，４１Ｂ，１０５  ロック手段
６１  ＩＣカード（デジタルキー、個人デジタルキー、共通デジタルキーの一例）
６２  非接触式ＩＣタグ
７２  制御装置（個人認証手段、データ書き込み手段、ロック解除手段、グループ作成手段、有効時間データ書込手段）
【図１】
2010095913.tif 000003
【図２】
2010095913.tif 000004
【図３】
2010095913.tif 000005
【図４】
2010095913.tif 000006
【図５】
2010095913.tif 000007
【図６】
2010095913.tif 000008
【図７】
2010095913.tif 000009
【図８】
2010095913.tif 000010
【図９】
2010095913.tif 000011
【図１０】
2010095913.tif 000012
【図１１】
2010095913.tif 000013
【図１２】
2010095913.tif 000014